(57)【要約】【課題】先端に刃口を設けた地下構造物を推進させるとき、刃口上部からの地山の崩落を防止して切羽の安定を図ることのできる地下構造物の刃口構造を得る。【解決手段】推進により地中に埋設され、上部および両側部に刃口を備える函体である地下構造物の前記上部の刃口構造において、前記函体の前端部にスライドジャッキ１３のシリンダー１３ａを固定し、前記上部の刃口９ａの下部に固定した受筒にスライドジャッキ１３のロッド１３ｂを取り付けて、上部の刃口９ａを函体から独立して前方に進出可能なように設け、前記ロッド１３ｂの受筒１４への取付部は、受筒１４に固定したピン丸鋼１５がロッド１３ｂと直交するようにロッド１３ｂを貫通し、上部の刃口９ａはロッド１３ｂに対して起伏自在に組み合わさる。【選択図】        図１
2004308270.tif 000002
【特許請求の範囲】
【請求項１】
推進により地中に埋設され、上部および両側部に刃口を備える函体である地下構造物の前記上部の刃口構造において、前記函体の前端部にスライドジャッキのシリンダーを固定し、前記上部の刃口の下部に固定した受筒にスライドジャッキのロッドを取り付けて、上部の刃口を函体から独立して前方に進出可能なように設け、前記ロッドの受筒への取付部は、受筒に固定したピン丸鋼がロッドと直交するようにロッドを貫通し、上部の刃口はロッドに対して起伏自在に組み合わさることを特徴とする地下構造物の刃口構造。
【請求項２】
上部の刃口は、函体の前進に先行して、函体に間隔をおいて固定された上床板間の開口を跨ぐよう配置されて進行方向に対して左右両側が上床板の上面を掘進方向にスライドするように設けたことを特徴とする地下構造物の刃口構造。
【発明の詳細な説明】
【０００１】
【発明の属する技術分野】
本発明は、鉄道、道路などの下部地中に横断方向に推進建設する大幅員の地下構造物の刃口構造に関するものである。
【０００２】
【従来の技術】
鉄道、道路などの下部地中に横断方向に大幅員の地下構造物を推進建設するには、従来は、例えば、図６に示すように、鉄道などの上部交通１の脇に土留め鋼矢板２を打設して、発進坑３と到達坑４を築造し、上部交通１の下部を横断するようにして上部交通１を支承するための防護工として発進坑３から到達坑４に向けて鋼管などを水平に並列させたパイプルーフ５を構築する。
【０００３】
地下構造物６であるコンクリート函体を埋設するには、発進坑３内に反力壁７および地下構造物６をセットし、反力壁７と地下構造物６との間には元押しの推進ジャッキ８を設け、地下構造物６の先端に刃口９を設ける。そして、推進ジャッキ８を伸長して地下構造物６をパイプルーフ５の内側で掘進させる。図中１０は、推進ジャッキ８と地下構造物６との間に介在させるストラットを示す。
【０００４】
前記先行技術は、当業者間で従来から一般的に行われているものであり、文献公知発明にかかるものではない。
【０００５】
【発明が解決しようとする課題】
地下構造物であるコンクリート函体を推進させるとき、函体はパイプルーフによって形成された枠の中を数十センチの間をあけて挿入されていく。この函体とパイプルーフとの間は、通常、未掘削の地山となっており、函体の前進にともない、地山が崩落するなどのおそれがあり、地山の安定を図ることが困難である。
【０００６】
本発明の目的は、前記従来例の不都合を解消し、先端に刃口を設けた地下構造物を推進させるとき、地山の崩落を防止して切羽の安定を図ることのできる地下構造物の刃口構造を提供することにある。
【０００７】
【課題を解決するための手段】
本発明は前記目的を達成するため、第１に、推進により地中に埋設され、上部および両側部に刃口を備える函体である地下構造物の前記上部の刃口構造において、前記函体の前端部にスライドジャッキのシリンダーを固定し、前記上部の刃口の下部に固定した受筒にスライドジャッキのロッドを取り付けて、上部の刃口を函体から独立して前方に進出可能なように設け、前記ロッドの受筒への取付部は、受筒に固定したピン丸鋼がロッドと直交するようにロッドを貫通し、上部の刃口はロッドに対して起伏自在に組み合わさることを要旨とするものである。
【０００８】
第２に、上部の刃口は、函体の前進に先行して、函体に間隔をおいて固定された上床板間の開口を跨ぐよう配置されて進行方向に対して左右両側が上床板の上面を掘進方向にスライドするように設けたことを要旨とするものである。
【０００９】
請求項１記載の本発明によれば、地下構造物であるコンクリート函体の前進に先行して上部の刃口が前進するから、函体前進時のパイプルーフと函体との間の未掘削の地山の崩落を防止でき、切羽の安定を図ることができる。この場合、上部の刃口の前進は、スライドジャッキのロッドを伸長すればよく、操作は容易であり、刃口はピン丸鋼にピン結合されているから、函体の前進方向とは別に単独で上下に起伏でき、現場の状況に柔軟に対処できる。
【００１０】
請求項２記載の本発明によれば、前記作用に加えて、上部の刃口は上床板の上面をスライドするから掘進方向にスムーズに押し出される。
【００１１】
【発明の実施の形態】
以下、図面について本発明の実施形態を詳細に説明する。図１は、本発明の地下構造物の刃口構造の実施形態を示す要部である上部の刃口の部分の側面図、図２は同上正面図、図３は同上平面図で、図６に示した従来例と同一の構成要素には同一の参照符号を付してある。
【００１２】
本発明のコンクリート函体である地下構造物６は、従来と同様に先端の上部と左右両側に刃口９を設けるものであるが、上部に設けるフリクションカットプレートで構成する刃口９ａについては、これを地下構造物６から独立して前方に進出可能なように地下構造物６にスライド自在に設けた。
【００１３】
上部の刃口９ａの地下構造物６への取付構造から説明すると、図２〜図４に示すように地下構造物６の上床板１１を間隔をおいて配置し、隣同士の上床板１１間に開口１２を形成し、この開口１２を跨ぐようにして刃口９ａを上床板１１の上面に、該上床板１１とは別個に独立して前方にスライド可能なよう配置した。
【００１４】
刃口９ａのスライド構造としては、図５に示すように地下構造物６函体の前端部の箇所で、前記開口１２内にスライドジャッキ１３のシリンダー１３ａの基部を固定してスライドジャッキ１３を前方に向けて突設し、前記上部の刃口９ａの下部に受筒１４を固定し、該受筒１４にこれと直交する方向にピン丸鋼１５を設け、このピン丸鋼１５をスライドジャッキ１３のロッド１３ｂの先端を貫通させた。これにより、ロッド１３ｂの先端は、ピン丸鋼１５により上下方向に回動し、起伏自在に支持される。
【００１５】
次に、地下構造物６を推進する方法について説明する。推進方法の概略は、図６について説明した従来例と同様であるからここでの詳細な説明は省略するが、本発明においても地下構造物６は、図６に示すように発進坑３に設置した推進ジャッキ８で後方から押し出されるか、または、図示は省略したが到達坑４側に設置した牽引ジャッキで前方から牽引されて推進する。
【００１６】
この場合、地下構造物６の前進に先行して上部の刃口９ａのみを前進させるようにするが、上部の刃口９ａを前進させるには、スライドジャッキ１３のロッド１３ｂを伸長すれば、ロッド１３ｂの先端がピン結合しているピン丸鋼１５を介してロッド１３ｂの伸長に追随して受筒１４が前進し、これにより、受筒１４が固定されている上部の刃口９ａが前進する。
【００１７】
このとき、上部の刃口９ａは前記のようにピン丸鋼１５を介してロッド１３ｂに結合されているから、ロッド１３ｂに対して上下方向に起伏自在であり、スライドジャッキ１３すなわち地下構造物６の進行方向とは別個に独立して異なる方向に前進することができ、現場の状況に柔軟に対処できる。
【００１８】
また、上部の刃口９ａの前進は、刃口９ａの左右両側が上床板１１の上面を滑るようにしてスムーズに行われ、このようにして上部の刃口９ａが地下構造物６の前進に先行して前方にスライドすることで、防護工であるパイプルーフなどとの間の地山の崩落を防止できる。
【００１９】
【発明の効果】
以上述べたように本発明の地下構造物の刃口構造は、先端に刃口を設けたコンクリート函体などによる地下構造物を推進させるとき、先端の上部の刃口のみを地下構造物の推進に先行して前進させることができるので、上方からの地山の崩落を防止して切羽の安定を図ることができるものである。そして、このように上部の刃口を前進させるに際し、刃口を函体の前進方向とは別に単独で上下に起伏させることもでき、現場の状況に柔軟に対処でき、スムーズに前進させることができるものである。
【図面の簡単な説明】
【図１】本発明の地下構造物の刃口構造の実施形態を示す要部である上部の刃口部分の側面図である。
【図２】本発明の地下構造物の刃口構造の実施形態を示す要部である上部の刃口部分の正面図である。
【図３】本発明の地下構造物の刃口構造の実施形態を示す要部である上部の刃口部分の平面図である。
【図４】本発明の地下構造物の刃口構造の実施形態を示す要部である上床板の平面図である。
【図５】本発明の地下構造物の刃口構造の実施形態を示す要部であるスライドジャッキ部分の平面図である。
【図６】地下構造物の推進方法を示す説明図である。
【符号の説明】
１…上部交通                    ２…土留め鋼矢板
３…発進坑                      ４…到達坑
５…パイプルーフ                ６…地下構造物
７…反力壁                      ８…推進ジャッキ
９…刃口                        ９ａ…上部の刃口
１０…ストラット                １１…上床板
１２…開口                      １３…スライドジャッキ
１３ａ…シリンダー              １３ｂ…ロッド
１４…受筒                      １５…ピン丸鋼
【図１】
2004308270.tif 000003
【図２】
2004308270.tif 000004
【図３】
2004308270.tif 000005
【図４】
2004308270.tif 000006
【図５】
2004308270.tif 000007
【図６】
2004308270.tif 000008